(57)【特許請求の範囲】
【請求項１】
送風ダクトコネクタであって、
挿入口を有する挿入空間が内部に形成され、第１吹出口が設けられた第１コネクタと、
前記第１コネクタに設けられた第１ガイド構造と、
前記第１コネクタに設けられた位置決め構造と、
第２吹出口及び第２ガイド構造が設けられ、前記挿入口から前記挿入空間内に挿入されることができ、且つ挿入中に前記第１ガイド構造により前記第２ガイド構造が前記位置決め構造までスライドして前記位置決め構造と結合するまでガイドされることによって、前記挿入空間に位置決めされるとともに、前記第１吹出口が前記第２吹出口に突き合せられる第２コネクタと、を含み、
前記第１コネクタは、第１コネクタ本体を含み、
前記第１コネクタ本体は、底壁と、前記底壁に設けられ、且つＵ字形の周壁とを含み、前記周壁は、対向して設けられた第１側壁、第２側壁、及び前記第１側壁と前記第２側壁との間に接続された接続壁を含み、前記周壁と前記底壁とにより前記挿入空間が画定され、Ｕ字形の前記周壁の開口端が前記挿入口を構成し、
前記第１ガイド構造は、ガイドレールであり、
前記第２ガイド構造は、前記ガイドレールでスライド可能なガイドコラムであり、
前記位置決め構造は、前記ガイドレールに形成された止めボスであり、
前記ガイドレールは、順次接続された入口セクションと、第１ストレートセクションと、第２ストレートセクションとを含み、前記入口セクションが前記挿入口に隣接し、前記第１ストレートセクションと前記第２ストレートセクションとの移行部位に前記止めボスが形成されるように前記第１ストレートセクションが前記第２ストレートセクションの上方に位置する、
ことを特徴とする送風ダクトコネクタ。
【請求項２】
前記第１ガイド構造は、それぞれ対向して前記第１側壁と前記第２側壁との対向内側面に設けられ、前記位置決め構造は、それぞれ対向して前記第１側壁と前記第２側壁との対向内側面に設けられる、
ことを特徴とする請求項１に記載の送風ダクトコネクタ。
【請求項３】
前記止めボスは、前記ガイドコラムに当接することにより、前記第２コネクタがそれぞれ前記底壁及び前記接続壁に当接して結合し、且つ、前記第２コネクタの両側面におけるガイドコラムは、前記第１側壁と前記第２側壁との間に挟まれて位置決めされる、
ことを特徴とする請求項１に記載の送風ダクトコネクタ。
【請求項４】
前記第１吹出口と前記第２吹出口との間に挟まれて固定され、且つ前記第１吹出口と前記第２吹出口との接続部をシールするためのシールリングをさらに含む、
ことを特徴とする請求項１に記載の送風ダクトコネクタ。
【請求項５】
前記シールリングは、前記底壁に接着して固定される、
ことを特徴とする請求項４に記載の送風ダクトコネクタ。
【請求項６】
前記第１側壁及び前記第２側壁におけるガイドレールは、いずれも複数であり、且つ一対一で対応しており、前記第１コネクタの両側面におけるガイドコラムは、同一側の前記ガイドレールと一対一で対応している、
ことを特徴とする請求項２に記載の送風ダクトコネクタ。
【請求項７】
空冷式冷蔵庫であって、
請求項１〜６のいずれか１項に記載の送風ダクトコネクタを含む、
ことを特徴とする空冷式冷蔵庫。
【請求項８】
前記空冷式冷蔵庫は、
内部に室と、前記室内へ送風するための通風路とが設けられた本体と、
圧縮機、凝縮器、及び蒸発器を含み、前記本体の外部に外付けされた外付け式冷却システムと、を含み、
前記送風ダクトコネクタは、前記外付け式冷却システムと前記通風路とを接続することに用いられる、
ことを特徴とする請求項７に記載の空冷式冷蔵庫。
【請求項９】
前記本体の外面には、凹部が設けられ、前記送風ダクトコネクタは、前記凹部内に収納され、前記凹部は、可動ドアによって開閉される、
ことを特徴とする請求項８に記載の空冷式冷蔵庫。
【発明の詳細な説明】
【技術分野】
【０００１】
本発明は冷却装置の技術分野に関し、具体的には、送風ダクトコネクタ及び空冷式冷蔵庫に関する。
【背景技術】
【０００２】
従来の空冷式冷蔵庫では、送風するために送風パイプを設置する必要があり、送風パイプは、一般的にプラスチック部材を用い、ほとんどフォーム層に嵌め込まれる。
【０００３】
一般的には、送風パイプは、送風経路において複数の部分に分割され、２段式のものを例にすると、この２段式管路の接続部位では、通常、送風ダクトコネクタを用いてシールして接続するが、従来の送風ダクトコネクタの構造が複雑であり、装着しにくい。
【発明の概要】
【０００４】
本発明の目的は、少なくとも従来技術の上記技術的問題の１つをある程度解決することである。そのため、本発明は、構造が簡単で、突き合せしやすい送風ダクトコネクタを提供する。
【０００５】
本発明は、さらに、上記送風ダクトコネクタを含む空冷式冷蔵庫を提供する。
【０００６】
本発明の実施例に係る送風ダクトコネクタは、挿入口を有する挿入空間が内部に形成され、第１吹出口がさらに設けられた第１コネクタと、前記挿入空間の壁に設けられた第１ガイド構造と、前記挿入空間の壁に設けられた位置決め構造と、第２吹出口及び第２ガイド構造が設けられ、前記挿入口から前記挿入空間内に挿入されることができ、且つ挿入中に前記第１ガイド構造により前記第２ガイド構造が前記位置決め構造までスライドして前記位置決め構造と結合するまでガイドされることによって、前記挿入空間に位置決めされるとともに、前記第１吹出口が前記第２吹出口に突き合せられる第２コネクタとを含む。
【０００７】
本発明の実施例に係る送風ダクトコネクタは、構造が簡単で、突き合せしやすく、また、モジュール化冷却システムと冷蔵庫の通風路との接続を容易にする。
【０００８】
また、本発明の実施例に係る送風ダクトコネクタは、さらに以下の付加的な技術的特徴を有する。
本発明のいくつかの実施例によれば、前記第１コネクタは、第１コネクタ本体を含み、前記第１コネクタ本体は、底壁と、前記底壁に設けられ、且つＵ字形の周壁とを含み、前記周壁は、対向して設けられた第１側壁、第２側壁、及び前記第１側壁と前記第２側壁との間に接続された接続壁を含み、前記周壁と前記底壁とにより前記挿入空間が画定され、Ｕ字形の前記周壁の開口端が前記挿入口を構成する。
【０００９】
本発明のいくつかの実施例によれば、前記第１ガイド構造は、それぞれ対向して前記第１側壁と前記第２側壁との対向内側面に設けられ、前記位置決め構造は、それぞれ対向して前記第１側壁と前記第２側壁との対向内側面に設けられる。
【００１０】
本発明のいくつかの実施例によれば、前記第１ガイド構造は、ガイドレールであり、前記第２ガイド構造は、前記ガイドレールでスライド可能なガイドコラムである。
【００１１】
本発明のいくつかの実施例によれば、前記位置決め構造は、前記ガイドレールに集積されている。
【００１２】
本発明のいくつかの実施例によれば、前記位置決め構造は、前記ガイドレールに形成された止めボスである。
【００１３】
本発明のいくつかの実施例によれば、前記ガイドレールは、順次接続された入口セクションと、第１ストレートセクションと、第２ストレートセクションとを含み、前記入口セクションが前記挿入口に隣接し、前記第１ストレートセクションと前記第２ストレートセクションとの移行部位に前記止めボスが形成されるように前記第１ストレートセクションが前記第２ストレートセクションの上方に位置する。
【００１４】
本発明のいくつかの実施例によれば、前記止めボスは、前記ガイドコラムに当接することにより、前記第２コネクタがそれぞれ前記底壁及び前記接続壁に当接して結合し、且つ、前記第２コネクタの両側面におけるガイドコラムは、前記第１側壁と前記第２側壁との間に挟まれて位置決めされる。
【００１５】
本発明のいくつかの実施例によれば、前記第１吹出口と前記第２吹出口との間に挟まれて固定され、且つ前記第１吹出口と前記第２吹出口との接続部をシールするためのシールリングをさらに含む。
【００１６】
本発明のいくつかの実施例によれば、前記シールリングは、前記底壁に接着して固定される。
【００１７】
本発明のいくつかの実施例によれば、前記第１側壁及び前記第２側壁におけるガイドレールは、いずれも複数であり、且つ一対一で対応しており、前記第１コネクタの両側面におけるガイドコラムは、同一側の前記ガイドレールと一対一で対応している。
【００１８】
本発明の別の形態に係る空冷式冷蔵庫は、以上に記載の送風ダクトコネクタを含む。
【００１９】
本発明の別の形態に係る空冷式冷蔵庫は、内部に室と、前記室内へ送風するための通風路とが設けられた本体と、圧縮機、凝縮器、及び蒸発器を含み、前記本体の外部に外付けされた外付け式冷却システムとを含み、前記送風ダクトコネクタは、前記外付け式冷却システムと前記通風路とを接続することに用いられる。
【００２０】
本発明の別の形態に係る空冷式冷蔵庫は、前記本体の外面には、凹部が設けられ、前記送風ダクトコネクタは、前記凹部内に収納され、前記凹部は、可動ドアによって開閉される。
【図面の簡単な説明】
【００２１】
【図１】本発明に係る送風ダクトコネクタの立体図である。
【図２】ロックされていない状態での本発明に係る送風ダクトコネクタの平面図である。
【図３】ロックされている状態での本発明に係る送風ダクトコネクタの平面図である。
【図４】図２中のＡ−Ａに沿う断面図である。
【図５】図３中のＢ−Ｂに沿う断面図である。
【図６】ロックされていない状態での本発明に係る送風ダクトコネクタの側面図である。
【図７】ロックされている状態での本発明に係る送風ダクトコネクタの側面図である。
【図８】本発明に係る送風ダクトコネクタの第１ガイド構造と第２ガイド構造の構造模式図である。
【発明を実施するための形態】
【００２２】
以下、本発明の実施例を詳細に説明する。前記実施例の例は、図面に示され、図面を通じて同じ又は類似した符号は、同じ又は類似した要素又は同じ又は類似した機能を有する要素を示す。以下、図面を参照しながら説明する実施例は、例示的なものであり、本発明を解釈するためのものにすぎず、本発明を制限するものとしては理解されない。
【００２３】
なお、本発明の説明において、「中心」、「縦方向」、「横方向」、「長さ」、「幅」、「厚み」、「上」、「下」、「前」、「後」、「左」、「右」、「垂直」、「水平」、「頂」、「底」「内」、「外」、「時計回り」、「反時計回り」などのような用語により示される方位又は位置関係は、図面に示される方位又は位置関係に基づくものであり、本発明の説明及び説明の簡略化のために過ぎず、示される装置又は要素が特定方位を有したり、特定方位で構成又は操作されたりすることを指示又は示唆するものではなく、よって、本発明に対する限定としては理解されない。
【００２４】
また、用語「第１」、「第２」は、説明するためのものに過ぎず、相対的な重要性を指示又は示唆するもの、又は示される技術的特徴の数を明示的に、あるいは黙示的に示すものとしては理解されない。よって、「第１」、「第２」により限定される特徴は、１つの又は複数のこの特徴を明示的に、あるいは黙示的に有してもよい。本発明の説明において、「複数」は、特に明確かつ具体的に限定しない限り、少なくとも２つ、例えば２つ、３つなどを意味する。
【００２５】
本発明において、明確に指定又は限定しない限り、「取付」、「連結」、「接続」、「固定」などの用語は、広義で理解すべきであり、たとえば、固定して接続してもよく、取り外し可能に接続してもよく、又は一体に接続してもよく、機械的に接続してもよく、或いは、電気的に接続してもよく、直接接続してもよく、中間媒体を介して間接的に接続してもよく、２つの要素の内部が連通してもよい。当業者であれば、具体的な状況に応じて上記用語の本発明における具体的な意味を理解し得る。
【００２６】
本発明において、明確に指定又は限定しない限り、第１特徴が第２特徴の「上」または「下」に位置することは、第１特徴が第２特徴と直接接触することを含んでもよく、第１特徴が第２特徴と直接接触せずに、それらの間の他の特徴を介して接触することを含んでもよい。また、第１特徴が第２特徴の「上」、「上方」及び「上面」に位置することは、第１特徴が第２特徴の真上や斜め上方に位置することを含み、あるいは、第１特徴の水平高さが第２特徴より高いことのみを意味する。第１特徴が第２特徴の「下」、「下方」や「下面」に位置することは、第１特徴が第２特徴の直下や斜め下方に位置することを含み、あるいは、第１特徴の水平高さが第２特徴より低いことのみを意味する。
【００２７】
以下、図１〜図８を参照して本発明の実施例に係る送風ダクトコネクタ１００を説明する。
【００２８】
本発明の実施例に係る送風ダクトコネクタ１００は、第１コネクタ１、第１ガイド構造２、位置決め構造３、及び第２コネクタ４を含み得る。送風ダクトコネクタ１００は、２つの部分の送風ダクトを接続することができ、たとえば、第１コネクタ１が一方の送風ダクトに接続され、第２コネクタ４が他方の送風ダクトに接続され、ここで、第１コネクタ１と第２コネクタ４は、差し込むように結合できる。
【００２９】
図１、図３及び図４に示されるように、第１コネクタ１の内部には、挿入口１１１を有する挿入空間１１が形成され、第１コネクタ１には、第１吹出口１２がさらに設けられる。挿入口１１１及び挿入空間１１を介して、第２コネクタ４は、第１コネクタ１に容易に挿入して固定できる。
【００３０】
第１ガイド構造２は、挿入空間１１の壁に設けられ、位置決め構造３は、挿入空間１１の壁に設けられる。それによって、空間を節約して、構造をコンパクト化する。
【００３１】
図４、図５及び図８を参照すると、第２コネクタ４には、第２吹出口４１が設けられ、第２コネクタ４には、第２ガイド構造４２が設けられ、第２コネクタ４は、挿入口１１１から空間１１に挿入されることができ、且つ挿入中に第１ガイド構造２によって、第２ガイド構造４２は、位置決め構造３までスライドして位置決め構造３と結合するまでガイドされ、それによって、第２コネクタ４を挿入空間１１内に位置決めするとともに、第１吹出口１２は、第２吹出口４１に突き合せられる。
【００３２】
たとえば、図４、図５に示される実施例では、第２コネクタ４は、右側から挿入口１１１を通って部分的に挿入空間１１に挿入され、このとき、第２ガイド構造４２は、入口セクション２１に位置する。次に、第２コネクタ４は、挿入空間１１へ押されて（たとえば、左へ押されて）、第１ガイド構造２は、位置決め構造３までスライドして位置決め構造３と位置決めして結合するまで第２ガイド構造４２をガイドし、このとき、第２コネクタ４は、第１コネクタ１に完全に接合され、第１吹出口１２は、第２吹出口４１に突き合せられ、吹出口が導通し、それによって、該送風ダクトコネクタを介して接続された２つの部分の管路が互いに連通する。
【００３３】
本発明の実施例に係る送風ダクトコネクタ１００は、構造が簡単で、操作しやすく、一体として発泡させて接着テープでシールする場合の従来の冷蔵庫の欠点を解決する。
【００３４】
図１、図２及び図３を参照すると、第１コネクタ１は、第１コネクタ本体１３を含み、第１コネクタ本体１３は、底壁１３１と、底壁１３１に設けられ、且つＵ字形の周壁１３２とを含む。
【００３５】
周壁１３２は、対向して設けられた第１側壁１３２１、第２側壁１３２２、及び第１側壁１３２１と第２側壁１３２２との間に接続された接続壁１３２３を含み、周壁１３２と底壁１３１により挿入空間１１が画定され、Ｕ字形の周壁１３２の開口端は、挿入口１１１を構成する。
【００３６】
底壁１３１及び周壁１３２によって、Ｕ字形の挿入空間１１が構成され、第２コネクタ４が挿入空間１１に容易に挿入されて固定され、且つ送風ダクトコネクタ１００の構造をよりコンパクト化することから、好ましくは、この挿入空間１１の形状が第２コネクタ４の形状と同じである。
【００３７】
図１、図４及び図５に示される実施例では、第１ガイド構造２は、それぞれ対向して第１側壁１３２１と第２側壁１３２２との対向内側面に設けられ、位置決め構造３は、それぞれ対向して第１側壁１３２１と第２側壁１３２２との対向内側面に設けられる。それによって、空間を節約して、構造をよりコンパクト化する。
【００３８】
具体的には、第１ガイド構造２は、ガイドレールであり、第２ガイド構造４２は、ガイドレールでスライド可能なガイドコラムである。ガイドレールとガイドコラムの組み合わせによりガイド効果が高まる。
【００３９】
図８を参照すると、位置決め構造３は、ガイドレールに集積されている。それによって、空間をより節約して、構造をよりコンパクト化するとともに、コラムが位置決め構造３までスライドして位置決め構造３と結合しやすくなる。
【００４０】
具体的には、位置決め構造３は、ガイドレールに形成された止めボスである。それによって、材料を節約して、ほかの部材を追加せずにガイドレールに止めボスを直接形成することができる。
【００４１】
ガイドレールは、順次接続された入口セクション２１と、第１ストレートセクション２２と、第２ストレートセクション２３とを含み、入口セクション２１は、挿入口１１１に隣接し、第１ストレートセクション２２は、第１ストレートセクション２２と第２ストレートセクション２３の移行部位に止めボスが形成されるように、第２ストレートセクション２３の上方に位置する。止めボス３がガイドレールに設けられることによって、空間をより節約し、第１ストレートセクション２２と第２ストレートセクション２３の移行部位に止めボスを形成するように第１ストレートセクション２２を第２ストレートセクション２３の上方に設置することにより、構造を簡素化させて、操作しやすくする。
【００４２】
図５、図６及び図７に示される実施例では、止めボス３は、ガイドコラム４２に当接することで、第２コネクタ４がそれぞれ底壁１３１と接続壁１３２３に当接して結合するようにし、且つ第２コネクタ４の両側面におけるガイドコラム４２が第１側壁１３２１と第２側壁１３２２の間に挟まれて位置決めされる。
【００４３】
第２ガイド構造４２が位置決め構造３までスライドして位置決め構造３と結合するときに、第２コネクタ４は、それぞれ底壁１３１と接続壁１３２３に当接して結合し、且つ第２コネクタ４の両側面におけるガイドコラムは、第１側壁１３２１と第２側壁１３２２の間に挟まれて位置決めされ、このようにして、Ｘ、Ｙ、Ｚの３つの方向における自由度が制限され、それにより第１コネクタ１と第２コネクタ４の相対位置が確保され、第２コネクタ４の挿入空間１１での前後、左右、上下移動が制限され、送風ダクトコネクタ１００がより確実に固定される。
【００４４】
本発明のいくつかの実施例によれば、第１吹出口１２と第２吹出口４１の間に挟まれて固定され、且つ第１吹出口１２と第２吹出口４１の接続部位をシールするためのシールリング５をさらに含む。シールリング５を設置することによって、第１吹出口１２と第２吹出口４１の間のシール性をより向上させ、風漏れを防止する。
【００４５】
さらに、シールリング５は、底壁１３１に接着して固定される。それによって、第１コネクタ１と第２コネクタ４が完全に固定して接続されたとき、シールリング５は、第１吹出口１２と第２吹出口４１の接続部に挟まれてシール効果を高める。
【００４６】
第１側壁１３２１と第２側壁１３２２におけるガイドレールは、いずれも複数あり、且つ一対一で対応しており、第１コネクタ１の両側面におけるガイドコラムは、同一側のガイドレールと一対一で対応している。それによって、より容易に挿入して固定でき、操作しやすくなり、且つ、第２コネクタ４の受ける力を均一にして、固定効果を向上させる。
【００４７】
本発明の別の態様の実施例に係る空冷式冷蔵庫は、上記実施例に記載の送風ダクトコネクタ１００を含む。空冷式冷蔵庫のほかの構造、たとえば、圧縮機などについては、従来技術において当業者にとって公知のものであるため、ここで空冷式冷蔵庫のほかの構造について詳しく説明しない。
【００４８】
いくつかの実施例では、空冷式冷蔵庫は、本体と、外付け式冷却システムとを含む。本体の内部には、室と、室へ送風するための通風路とが設けられる。外付け式冷却システムは、圧縮機、凝縮器、蒸発器を含み、外付け式冷却システムは、本体に外付けされている。送風ダクトコネクタ１００は、外付け式冷却システムと通風路とを接続することに用いられる。
【００４９】
冷却システムと冷蔵庫の本体とを個別にすることで、冷蔵庫の空間利用率を高め、冷却システムが冷蔵庫本体の空間を占めることがなく、室外などの場所に配置されてもよく、さらに、１つの外付け式冷却システムは、複数の冷蔵庫本体に適用でき、このようにして冷蔵庫の使用効果が高まる。
【００５０】
本発明の別の態様に係る空冷式冷蔵庫では、本体の外面には、凹部が設けられ、送風ダクトコネクタ１００は、凹部内に収納され、凹部は、可動ドアによって開閉可能である。
【００５１】
外付け式冷却システムで冷却する必要がある場合、可動ドアを開いて送風ダクトコネクタ１００を凹部から取り出して接続して冷却を行い、冷却終了後、送風ダクトコネクタ１００を凹部内に収納して、可動ドアを閉めればよく、操作しやすく、且つ空間を節約する。
【００５２】
本明細書の説明において、用語「一実施例」、「いくつかの実施例」、「例」、「具体例」、又は「いくつかの例」等を参照した説明は、該実施例又は例と組み合わせて説明されている特定の特徴、構造、材料又は特性が、本発明の少なくとも１つの実施例又は例に含まれることを意味する。本明細書において、上記用語の例示的な表現は、必ずしも同じ実施例又は例を意味するわけではない。さらに、説明された特定の特徴、構造、材料又は特性が、任意の１つ又は複数の実施例又は例においては適切な組み合わせで一体化されていてもよい。
【００５３】
なお、以上では本発明の実施例を例示して説明したが、上記実施例は例示的なものに過ぎず、本発明を制限するものとして理解してはいけない。当業者であれば、本発明の範囲内において、上記実施例に対して変更、改定、置換や変形を行うことができることが理解できる。
【符号の説明】
【００５４】
１００  送風ダクトコネクタ
１  第１コネクタ
１１  挿入空間
１１１  挿入口
１２  第１吹出口
２  第１ガイド構造
３  位置決め構造
４  第２コネクタ
４１  第２吹出口
４２  第２ガイド構造
１３  第１コネクタ本体
１３１  底壁
１３２  周壁
１３２１  第１側壁
１３２２  第２側壁
１３２３  接続壁
２１  入口セクション
２２  第１ストレートセクション
２３  第２ストレートセクション
５  シールリング
【図１】
0006844033.tif 000002
【図２】
0006844033.tif 000003
【図３】
0006844033.tif 000004
【図４】
0006844033.tif 000005
【図５】
0006844033.tif 000006
【図６】
0006844033.tif 000007
【図７】
0006844033.tif 000008
【図８】
0006844033.tif 000009